(57)【要約】  本発明が開示するＬＥＤ看板は、複数のＬＥＤから構成され、フレームに挿入されるＬＥＤ配列板と、透過領域と非透過領域とから構成された広告デザインを含み、フレームの前面に備えられる前面パネルと、ＬＥＤ活性情報及びＬＥＤ動作情報を格納するメモリ部と、ＬＥＤ活性情報に応じてＬＥＤ配列板に備えられたＬＥＤの中から活性ＬＥＤを識別し、ＬＥＤ動作情報に応じて活性ＬＥＤに対する動作を制御する制御部とを含んで構成される。本発明の一特徴により、ＬＥＤ活性情報及びＬＥＤ動作情報は、ユーザのコンピュータにインストールされるユーザソフトウェアによって生成される。本発明によれば、ユーザは、単に前面パネルの入れ替え及び活性ＬＥＤを変更・設定することにより、看板を容易に再使用することができる。また、活性ＬＥＤに対する色の変化を含む点滅の変化などの動作を手軽に設定し変更可能なため、ユーザの多様な要求を満たすことができる。【選択図】図２
2014515116.tif 000002
【特許請求の範囲】
【請求項１】
フレームを備えるＬＥＤ看板であって、
複数のＬＥＤから構成され、前記フレームに挿入されるＬＥＤ配列板と、
透過領域と非透過領域とから構成された広告デザインを含み、前記フレームの前面に備えられる前面パネルと、
ＬＥＤ活性情報及びＬＥＤ動作情報を格納するメモリ部と、
前記ＬＥＤ活性情報に応じて前記ＬＥＤ配列板に備えられたＬＥＤの中から活性ＬＥＤを識別し、前記ＬＥＤ動作情報に応じて前記活性ＬＥＤに対する動作を制御する制御部とを含むことを特徴とする再使用可能な節電型ＬＥＤ看板。
【請求項２】
前記ＬＥＤ活性情報及びＬＥＤ動作情報は、
ユーザのコンピュータにインストールされるユーザソフトウェアによって設定されることを特徴とする請求項１記載の再使用可能な節電型ＬＥＤ看板。
【請求項３】
前記ユーザソフトウェアによって生成された前記ＬＥＤ設定情報及びＬＥＤ動作情報は、リムーバブル格納手段に格納され、
前記リムーバブル格納手段は、前記メモリ部に挿入され、前記メモリ部によって読み出されることを特徴とする請求項２記載の再使用可能な節電型ＬＥＤ看板。
【請求項４】
前記活性ＬＥＤは、前記広告デザインの透過領域に対応する前記ＬＥＤ配列板のＬＥＤであることを特徴とする請求項１記載の再使用可能な節電型ＬＥＤ看板。
【請求項５】
前記ＬＥＤ動作情報は、
前記活性ＬＥＤの色の変化及び点滅の変化に対する時間による発光動作を定義する情報であることを特徴とする請求項２または３記載の再使用可能な節電型ＬＥＤ看板。
【請求項６】
前記ユーザソフトウェアは、少なくとも１つのプリセットを含み、
前記プリセットは、予め定義されたＬＥＤ動作情報であることを特徴とする請求項５記載の再使用可能な節電型ＬＥＤ看板。
【請求項７】
前記ＬＥＤ配列板の列（column）に着脱可能に備えられる隔板をさらに含むことを特徴とする請求項１記載の再使用可能な節電型ＬＥＤ看板。
【請求項８】
前記前面パネルは、
前記広告デザインが備えられたシートと、前記シートの前面に位置する透過パネルとから構成されることを特徴とする請求項１記載の再使用可能な節電型ＬＥＤ看板。
【発明の詳細な説明】
【技術分野】
【０００１】
本発明は、ＬＥＤ看板に関するものであって、具体的には、文字、図案などの広告デザインの入れ替えによる再使用が容易な節電型看板に関するものである。より具体的には、本発明は、ユーザが看板とともに提供されるソフトウェアを用いて広告デザインに合わせてＬＥＤの動作を手軽に設定及び変更可能なユーザ向けのＬＥＤ看板に関するものである。
【背景技術】
【０００２】
最近、屋内外の広告物や看板には省エネを目的としてＬＥＤが採用されている。ＬＥＤ看板は、主に、所定の広告文字又は図形の外周縁を壁で取り囲む、いわゆるチャンネル方式で製作される。例えば、韓国特許公開第10-2004-0086659号に開示された、添付図面の図１の看板を参照すれば、部材番号「２００」で表される逆Ｍ字状のチャンネル看板内に複数のＬＥＤがワイヤ（電線）によってつながっていることを確認することができる。
【０００３】
しかしながら、このような看板は、チャンネルの形成はいうまでもなく、ＬＥＤの連結作業が煩わしい。また、各ＬＥＤの色又は点滅などの単純な動作設定と変更さえも看板設置業者に完全に依存しなければならない。したがって、このような看板の再使用は容易でない。例えば、広告デザインの内容を変えなければならない場合には、その内容に合わせてチャンネルを新たに作らなければならない上に、チャンネル内のＬＥＤを再配置しなければならないため、作業難易度をさておいても、多くの費用と時間がかかる。
【発明の概要】
【発明が解決しようとする課題】
【０００４】
従来のＬＥＤ看板の問題を解決するためになされた本発明は、再使用可能なＬＥＤ看板を提供することを主な目的とする。
【０００５】
また、本発明は、看板とともにユーザソフトウェアを提供することにより、ユーザが各ＬＥＤの活性化の有無を選択し、活性化されたＬＥＤの一連の動作を容易に設定できるようにすることを目的とする。
【課題を解決するための手段】
【０００６】
上記の技術的課題を達成するための本発明の看板は、フレームを備えるＬＥＤ看板であって、複数のＬＥＤから構成され、上記フレームに挿入されるＬＥＤ配列板と、透過領域と非透過領域とから構成された広告デザインを含み、上記フレームの前面に備えられる前面パネルと、ＬＥＤ活性情報及びＬＥＤ動作情報を格納するメモリ部と、上記ＬＥＤ活性情報に応じてＬＥＤ配列板に備えられたＬＥＤの中から活性ＬＥＤを識別し、ＬＥＤ動作情報に応じて活性ＬＥＤに対する動作を制御する制御部とを含んで構成される。ここで、ＬＥＤ動作情報は、活性ＬＥＤの色の変化及び点滅の変化に対する時間による発光動作を定義する情報である。
【０００７】
本発明のＬＥＤ活性情報及びＬＥＤ動作情報は、ユーザのコンピュータにインストールされるユーザソフトウェアによって設定される。このために、ユーザソフトウェアによって生成された上記ＬＥＤ設定情報及びＬＥＤ動作情報は、リムーバブル格納手段に格納され、リムーバブル格納手段は、メモリ部に挿入できる。本発明のユーザソフトウェアは、少なくとも１つのプリセットを含むことができる。該プリセットは、予め定義されたＬＥＤ動作情報である。
【０００８】
一方、本発明の看板は、ＬＥＤ配列板の列（column）に着脱可能に備えられる隔板をさらに含むことができ、上記前面パネルは、広告デザインが備えられたシートと、該シートの前面に位置する透過パネルとから構成できる。
【発明の効果】
【０００９】
本発明によれば、ユーザは、単に前面パネルの入れ替え及び活性ＬＥＤを変更・設定することにより、看板を容易に再使用することができる。
【００１０】
また、広告デザインの透過領域に対応するＬＥＤのみを活性化させることが可能なため、電力の無駄使いを低減することができる。
【００１１】
さらに、活性ＬＥＤに対する色の変化を含む点滅の変化などの動作を手軽に設定し変更可能なため、ユーザの多様な要求を満たすことができる。
【図面の簡単な説明】
【００１２】
【図１】先行特許文献の図５である。
【図２】本発明の一実施形態にかかる看板１００を示す斜視図である。
【図３】図２の看板１００に対する分解斜視図である。
【図４】図３に示されたＬＥＤ配列板１２０の平面図である。
【図５】図３に示されたＬＥＤ配列板１２０がフレーム１１０に挿入された状態を示す図である。
【図６】図３に示された前面パネル１２０の平面図である。
【図７】本発明の看板１００とともにユーザに提供されるソフトウェアの画面を示す図である。
【図８】図３に示された隔板１６０がＬＥＤ配列板１２０に設けられる状態を説明するための図である。
【図９】本発明にかかる前面パネル１３０の変形例を示す図である。
【発明を実施するための形態】
【００１３】
本発明の具体的な特徴及び利点は、添付図面に基づいた以下の詳細な説明によってさらに明確になるはずである。これに先立ち、本発明にかかる公知の機能及びその構成に関する具体的な説明が本発明の要旨をあいまいにする可能性があると判断された場合には、その具体的な説明を省略したことに留意しなければならない。
【００１４】
本発明の一実施形態にかかるＬＥＤ看板（以下、「看板」という）は、図２に示されるように、部材番号「１００」で表される。図３の分解斜視図を参照すれば、本発明の看板１００は、フレーム１１０と、ＬＥＤ配列板１２０と、前面パネル１３０と、メモリ部１４０と、制御部１５０とを含んで構成される。説明されていない部材番号「１６０」については後述する。
【００１５】
具体的には、フレーム１１０は、長方形に形成されることがありえ（もちろん、長方形でなくてもよい）、ＬＥＤ配列板、前面パネル、メモリ部及び制御部を保持（supporting）し、担持（containing）する機能を果たす。
【００１６】
図４を参照すれば、上記ＬＥＤ配列板１２０は、複数のＬＥＤ１２１がＮ×Ｍの大きさに配列された基板（ＰＣＢ）で、上記フレーム１１０内に挿入される（図５参照）。図示のＬＥＤ１２１は５×２８の大きさに配列されているが、本発明がその大きさに限定されるものではない。ＬＥＤ１２１は、ＲＧＢ（red、green、blue）の組み合わせによって多様な色を発光できるパッケージ型（package type）ＬＥＤあるいはチップ型（chip type）ＬＥＤである。
【００１７】
図６は、前面パネル１３０の平面である。この前面パネル１３０は、フレーム１１０の前面に備えられる。前面パネル１３０は、上記ＬＥＤ１２１の光が透過する領域１３１（以下、「透過領域」）と、そうでない非透過領域１３３との組み合わせで構成される所定の広告デザインを含む。ここで、広告デザインは、図形及び／又は文字で構成できる。例えば、本発明の図面に示されるように、略三角形状の図形と「ＰＡＴＥＮＴ」という文字である。
【００１８】
メモリ部１４０は、ＬＥＤ配列板１２０の動作を制御するための情報を格納する。ここで、メモリ部１４０に格納される情報としては、下記で説明されるＬＥＤ活性情報及びＬＥＤ動作情報に大別される。メモリ部１４０は、図２に示されたリムーバブル格納手段１４１、例えば、ＳＤカードメモリ、ＣＦカードメモリ、ＵＳＢメモリなどを着脱可能に収容し、これらに記録された情報を読み出すように構成できる。
【００１９】
本発明の制御部１５０は、フレーム１１０内に備えられ、上記メモリ部１４０のＬＥＤ活性情報とＬＥＤ動作情報に応じてＬＥＤ配列板１２０を制御する。より具体的には、ＬＥＤ活性情報は、ＬＥＤ配列板１２０に備えられたＬＥＤ１２１それぞれの活性化の有無に対する情報である。本発明の一特徴により、各ＬＥＤ１２１は、広告デザインの透過領域に対応するＬＥＤ１２１のみが選択的に活性化できる。すなわち、広告デザインの非透過領域１３３に対応するＬＥＤは、制御部１５０によって活性化されない。これは節電効果につながる。ＬＥＤ動作情報は、活性化されたＬＥＤ（以下、活性ＬＥＤ）に対する動作に関する情報、例えば、色の変化及び点滅の変化に対する一連の動作を定義する情報である。本発明の制御部１５０は、上記ＬＥＤ動作情報に応じて活性ＬＥＤの動作を制御する。
【００２０】
一方、本発明の一特徴により、前述したＬＥＤ活性情報及びＬＥＤ動作情報を設定するためのユーザソフトウェアが提供される。ユーザソフトウェアは、ユーザがＬＥＤ配列板１２０をシミュレーションできるプログラムであって、本発明にかかる看板とともに、ＣＤ（compact disk）などの格納媒体として提供されるか、ウェブサーバを介して提供され得る。
【００２１】
図７は、ユーザのコンピュータにインストールされたユーザソフトウェアによって出力される画面を示す図である。本発明で教示されるユーザソフトウェアは、グラフィカルインタフェース（graphical interface）として理解してもよい。図７に示された画面１０は、上記ＬＥＤ配列板１２０に対する擬似（pseudo）配列板あるいは仮想（virtual）配列板１１をコンピュータの画面（モニタ）に表示することができる。したがって、ユーザは、本画面１０を通して活性化すべきＬＥＤを容易に識別し選択することができ、活性ＬＥＤそれぞれに対する色の変化を含む点滅の変化を直観的に又は手軽に設定することができる。
【００２２】
参照として、ユーザが活性ＬＥＤに対するすべての動作を個別的に設定するには無理がある。この点に鑑み、本発明のユーザソフトウェアは、少なくとも１つのプリセット（preset）１３が提供できる。プリセット１３は、選択された活性ＬＥＤの色の変化を含む点滅の変化に対する時変（時間による変化）発光動作を予め定義したもので、複数のプリセット１３の中から選択されたいずれか１つは、上記ＬＥＤ動作情報として利用される。ここで、時間による発光動作は、広告デザインの透過領域を介してユーザに投射される一連のパターンとして理解しても構わない。例えば、色が変化しながら左右に動くパターン、炎のように上下に燃えるパターンなどを挙げることができる。これは、当業界において広く知られている事項であるので、具体的な説明を省略する。
【００２３】
前述のように、ユーザソフトウェアによって設定されるＬＥＤ活性情報及びＬＥＤ動作情報は、ユーザのコンピュータに接続されたリムーバブル格納手段１４１に格納される。以降、リムーバブル格納手段１４１がメモリ部１４０に挿入されると、制御部１５０は、ＬＥＤ活性情報及びＬＥＤ動作情報を読み出してＬＥＤ配列板１２０を制御するのである。
【００２４】
図３及び図８を参照すれば、本発明の看板１００は、ＬＥＤ配列板１２０の列（column）に設けられる隔板１６０をさらに含むことができる。図８において、前面パネル１３０は、説明の便宜のために透明に表されている。隔板１６０は、ＬＥＤ配列板１２０を区画し、区画された左右の領域から照射されるＬＥＤの光を隔離する機能を果たす。例えば、広告デザインが前述のように図形と文字で構成されている場合、図形部分に対応するＬＥＤと文字部分に対応するＬＥＤとは隔板１６０によって区画可能である。この場合、ＬＥＤ動作情報は、区画された部分（図形、文字）ごとに異なって設定されてもよい。
【００２５】
以上、本発明の技術的思想を例示するための好ましい実施形態に関連して説明及び図示したが、本発明はこのように図示及び説明された構成及び作用にのみ限られるものではない。例えば、本発明の前面パネル１３０は、図９に示されるように実施できる。部材番号「１３０ａ」は、広告デザインが備えられたシートであり、部材番号「１３０ｂ」は、シート１３０ａの前面に位置する透過パネルである。シート１３０ａは、印刷方式によって透過領域と非透過領域を自由に設定できるという利点がある。このように、本発明で開示された技術的思想の範疇を逸脱することなく、本発明について様々な変更及び修正が可能であることは、当業者にとって自明である。したがって、そのようなすべての適切な変更及び修正と均等物も本発明の範囲に属するとみなすべきである。
【産業上の利用可能性】
【００２６】
本発明は、屋内外の広告看板に利用される。本発明が提供する看板は、ユーザがソフトウェアを介して各ＬＥＤの動作を手軽に設定又は変更可能なため、利便性が確保される。
【図２】
2014515116.tif 000003
【図６】
2014515116.tif 000004
【図１】
2014515116.tif 000005
【図３】
2014515116.tif 000006
【図４】
2014515116.tif 000007
【図５】
2014515116.tif 000008
【図７】
2014515116.tif 000009
【図８】
2014515116.tif 000010
【図９】
2014515116.tif 000011
【国際調査報告】
2014515116.tif 000012
2014515116.tif 000013
2014515116.tif 000014
2014515116.tif 000015